(57)【要約】      （修正有）【課題】簡便な構成でありながら、被検者は検温場所にて自分自身の、検査者は遠隔地にて被検者の、体温や入場許可又は立入禁止の判定結果、マスクの着用状況を確認できる検温装置及び検温システムを提供する。【解決手段】検温装置１１は、被検者を撮像する撮像部１３と、被検者から放射される赤外線を検出する赤外線検出部１２と、撮像部１３にて取得した画像及び赤外線検出部１２の検出値に基づいて被検者の体温を算出する体温算出部１５と、体温算出部１５にて特定された被検者の体温と正常体温又は異常体温に関する閾値とに基づいて、被検者が正常体温又は異常体温であるかを判定する体温判定部１６と、撮像部１３によって取得された画像を表示するとともに、体温判定部１６による判定結果を反映した、被検者に対する入場許可又は立入禁止を意味する画像を合わせて表示する表示部１４と、表示部１４に表示される画像の画像データをディスプレイ２１に送信する送信部１８とを備える。【選択図】図４
0003229711.tif 000002
【実用新案登録請求の範囲】
【請求項１】
被検者を撮像する撮像部と、
前記被検者から放射される赤外線を検出する赤外線検出部と、
前記撮像部にて取得した画像及び前記赤外線検出部の検出値に基づいて前記被検者の体温を算出する体温算出部と、
前記体温算出部にて特定された前記被検者の体温と正常体温又は異常体温に関する閾値とに基づいて、前記被検者が正常体温又は異常体温であるかを判定する体温判定部と、
前記撮像部によって取得された画像を表示するとともに、前記体温判定部による判定結果を反映した、前記被検者に対する入場許可又は立入禁止を意味する画像を合わせて表示する第一の表示部と、
前記第一の表示部に表示される画像の画像データを画像表示装置に送信する送信部と、
を備える検温装置。
【請求項２】
請求項１に記載の検温装置であって、さらに、
前記撮像部によって取得された画像から、前記被検者がマスクを装着しているかを判定するマスク判定部を備え、
前記第一の表示部は、前記マスク判定部にて前記被検者がマスクを装着していないと判定された場合、マスクの着用を促す画像を表示することを特徴とする検温装置。
【請求項３】
請求項１又は請求項２に記載の検温装置と、
前記送信部に接続され、前記第一の表示部に表示される画像の画像データを伝送するための伝送部と、
前記伝送部に接続され、該伝送部を介して伝送された画像データを受信する受信部と、該受信部にて受信した画像データに基づいて前記第一の表示部に表示される画像を表示する第二の表示部とを有する前記画像表示装置と、
を備える検温システム。
【請求項４】
請求項３に記載の検温システムであって、さらに、
一対の機器からなり、一方は前記画像表示装置の近傍に設置され、他方は前記検温装置の近傍に設置される、双方向の音声通信を可能とする通話装置を備える検温システム。
【請求項５】
請求項３又は請求項４に記載の検温システムであって、さらに、
前記検温装置の近傍に設置され、被検者に対して、入場許可の際にはロックが解除され、立入禁止の際にはロックがかかるよう、遠隔から制御可能なロック機器が設けられたドアを備える検温システム。
【考案の詳細な説明】
【技術分野】
【０００１】
本考案は、被検者の体温を非接触で測定し、当該被検者の入場許可又は立入禁止を判定して表示する検温装置及び検温システムに関する。
【背景技術】
【０００２】
近年の新型コロナウイルスによる感染拡大への予防対策として、公共施設、商業施設、複合ビル、イベント会場等では、被検者の体温を非接触で測定できるサーマルカメラを備えた検温装置を用いて、ウイルス感染の主要症状とされる発熱者を検知し、発熱者の施設への立ち入りを禁止する措置が取られるようになってきている。
【０００３】
この種の検温装置としては、例えば非特許文献１に開示された技術が知られている。このうち顔認証型の技術は、被検者をカメラで写すと顔の部位を自動検知し、赤外線検出部が顔の部位から放射される赤外線を検出し、検出値から顔の表面温度を算出し、この温度が閾値以上となった際に異常体温と認識して、被検者が異常体温であることを画面表示やアラーム音等で通知するように構成されている。
【０００４】
また、従来の検温システムとしては、例えば非特許文献２に開示された技術が知られている。この技術は、非特許文献１に開示された技術と同様の検温装置が、有線又は無線ＬＡＮ（Local Area Network）を介して双方向に通信可能に構成されており、ＬＡＮに接続されたＰＣ（Personal Computer）を用いて、複数の検温装置にて取得したデータを一括管理することができる。
【先行技術文献】
【特許文献】
【０００５】
【非特許文献１】アイリスオーヤマ株式会社、［令和２年９月２３日検索］、インターネット＜https://www.irisohyama.co.jp/b2b/iot/products/thermal-camera/＞
【０００６】
【非特許文献２】ｉＦＬＹソリューションズジャパン株式会社、［令和２年９月２３日検索］、インターネット＜https://www.iflysolutions.co.jp/＞
【考案の概要】
【考案が解決しようとする課題】
【０００７】
しかしながら、非特許文献１に開示された技術は、検温装置自体に設けられた画面を遠隔から見えるように構成されていないため、検査者（入場係や受付係等）は、ウイルス感染のリスクを抱えながら、被検者が検温装置の前で検温している傍らで、検温装置の画面表示やアラーム音等による通知を受けて、入場許可又は立入禁止の確認又は指示をせざるを得なかった。
【０００８】
また、非特許文献２に開示された技術は、有線又は無線ＬＡＮを介して双方向に通信可能となっているため、検査者は、遠隔からＰＣを介して、検温装置の画面表示やアラーム音等による通知を受けることができるかも知れないが（非特許文献２にはそのような開示はない。）、ＰＣを設置する必要があることから、特に複数の検査者で管理する場合には、ＰＣに掛ける手間やコストが余計な負担となる。
【０００９】
本考案は、このような事情に鑑みてなされたものであり、簡便な構成でありながら、被検者は検温場所にて自分自身の、検査者は遠隔地にて被検者の、体温や入場許可又は立入禁止の判定結果、マスクの着用状況を確認できる検温装置及び検温システムを提供することを主な目的とする。
【課題を解決するための手段及び考案の効果】
【００１０】
本考案の第１の側面に係る検温装置によれば、被検者を撮像する撮像部と、前記被検者から放射される赤外線を検出する赤外線検出部と、前記撮像部にて取得した画像及び前記赤外線検出部の検出値に基づいて前記被検者の体温を算出する体温算出部と、前記体温算出部にて特定された前記被検者の体温と正常体温又は異常体温に関する閾値とに基づいて、前記被検者が正常体温又は異常体温であるかを判定する体温判定部と、前記撮像部によって取得された画像を表示するとともに、前記体温判定部による判定結果を反映した、前記被検者に対する入場許可又は立入禁止を意味する画像を合わせて表示する第一の表示部と、前記第一の表示部に表示される画像の画像データを画像表示装置に送信する送信部と、を備えることができる。
【００１１】
前記構成によれば、検温装置が本体に表示される画像の画像データを画像表示装置に送信する送信部（例えばＨＤＭＩ（エイチディーエムアイ  ライセンシング  アドミニストレーター  インコーポレイテッドの登録商標。）出力基板・端子）を備えるので、ＨＤＭＩケーブルや有線又は無線のＨＤＭＩエクステンダーを介して、ＨＤＭＩ入力基板・端子を備えるＰＣ用のディスプレイやテレビ等の画像表示装置に直接接続することで、検温装置から遠隔に設置された画像表示装置において、ＰＣを設置することなく、検温装置の本体に表示される画像と同一の画像を表示させることができる。
【００１２】
これにより、従来の技術では、検査者と被検者とがその場で入場許可又は立入禁止の判定結果を確認するか、被検者が判定結果を確認できないまま遠隔から指示を受けていたところ、被検者は、自分自身で体温や判定結果を確認できるとともに、検査者は、遠隔から、ＰＣを設置することなく、被検者の体温や判定結果を確認したり、被検者に対して指示したりすることができる。また、検温装置の背面側に画像表示装置を設置することで、検査者は、被検者と少し離れた位置で向かい合った状態で入場管理を行うことができる。
【００１３】
また、本考案の第２の側面に係る検温装置によれば、さらに、前記撮像部によって取得された画像から、前記被検者がマスクを装着しているかを判定するマスク判定部を備え、前記第一の表示部は、前記マスク判定部にて前記被検者がマスクを装着していないと判定された場合、マスクの着用を促す画像を表示するよう構成できる。
【００１４】
前記構成によれば、被検者は、自分自身でマスクの着用状況を確認できるとともに、検査者は、遠隔から、ＰＣを設置することなく、被検者のマスクの着用状況を確認することができる。
【００１５】
さらにまた、本考案の第３の側面に係る検温システムによれば、前記検温装置と、前記送信部に接続され、前記第一の表示部に表示される画像の画像データを伝送するための伝送部と、前記伝送部に接続され、該伝送部を介して伝送された画像データを受信する受信部と、該受信部にて受信した画像データに基づいて前記第一の表示部に表示される画像を表示する第二の表示部とを有する前記画像表示装置と、を備えることができる。
【００１６】
前記構成によれば、検温装置が本体に表示される画像の画像データを画像表示装置に送信する送信部（例えばＨＤＭＩ（エイチディーエムアイ  ライセンシング  アドミニストレーター  インコーポレイテッドの登録商標。）出力基板・端子）を備え、伝送部（ＨＤＭＩケーブルや有線又は無線のＨＤＭＩエクステンダー）を介して、受信部（ＨＤＭＩ入力基板・端子）を備えるＰＣ用のディスプレイやテレビ等の画像表示装置に直接接続することで、検温装置から遠隔に設置された画像表示装置において、ＰＣを設置することなく、検温装置の本体に表示される画像と同一の画像を表示させることができる。
【００１７】
これにより、従来の技術では、検査者と被検者とがその場で入場許可又は立入禁止の判定結果を確認していたところ、被検者は、自分自身で体温や判定結果、マスクの着用状況を確認できるとともに、検査者は、遠隔から、被検者の体温や判定結果、マスクの着用状況を確認することができる。
【００１８】
また、前記構成によれば、検温装置の背面側に画像表示装置を設置することで、ＰＣを設置することなく、検査者は、被検者と少し離れた位置で向かい合った状態で入場管理を行うことができる。
【００１９】
さらにまた、本考案の第４の側面に係る検温システムによれば、さらに、一対の機器からなり、一方は前記画像表示装置の近傍に設置され、他方は前記検温装置の近傍に設置される、双方向の音声通信を可能とする通話装置を備えることができる。
【００２０】
前記構成によれば、検査者は、遠隔から、被検者の体温や判定結果を踏まえて、被検者に対して、例えば入場許可又は立入禁止について指示したり、被検者から事情をヒアリングしたり、検温装置の使用方法を説明したりすることができる。
【００２１】
さらにまた、本考案の第５の側面に係る検温システムによれば、さらに、前記検温装置の近傍に設置され、被検者に対して、入場許可の際にはロックが解除され、立入禁止の際にはロックがかかるよう、遠隔から制御可能なロック機器が設けられたドアを備えることができる。
【００２２】
前記構成によれば、検査者は、遠隔から、被検者の体温や判定結果を踏まえて、被検者に対して、ドアのロックを解除したり、ドアのロックをかけたりすることができる。
【００２３】
以上のとおり、本考案によれば、簡便な構成でありながら、被検者は検温場所にて自分自身の、検査者は遠隔地にて被検者の、体温や入場許可又は立入禁止の判定結果、マスクの着用状況を確認できる検温装置及び検温システムを提供することができる。
【図面の簡単な説明】
【００２４】
【図１】本考案の第一実施形態に係る検温システムの構成を示す模式図である。
【図２】本考案の第二実施形態に係る検温システムの構成を示す模式図である。
【図３】本考案の第三実施形態に係る検温システムの構成を示す模式図である。
【図４】検温装置のハードウェア構成を示すブロック図である。
【考案を実施するための形態】
【００２５】
以下、本考案の実施の形態を図面に基づいて説明する。ただし、以下に示す実施の形態は、本考案の技術思想を具体化するための検温装置及び検温システムを例示するものであって、本考案はそれらを以下のものに特定しない。また、本明細書は実用新案登録請求の範囲に示される部材を、実施の形態の部材に特定するものでは決してない。特に実施の形態に記載されている構成部品の寸法、材質、形状、その相対的配置等は特に特定的な記載がない限りは、本考案の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本考案を構成する各要素は、複数の要素を同一の部材で構成して一の部材で複数の要素を兼用する態様としてもよいし、逆に一の部材の機能を複数の部材で分担して実現することもできる。
（検温システム１の構成）
【００２６】
第一実施形態では、図１に示すように、被検者側に設置され、被検者の体温を非接触で検温するための検温装置１１と、被検者から離れた検査者側に設置され、検査者が、検温装置１１の表示部１４（実用新案登録請求の範囲における「第一の表示部」の一例に対応している。）に表示された画像と同一の画像を表示部２２（実用新案登録請求の範囲における「第二の表示部」の一例に対応している。）に表示するためのディスプレイ２１（実用新案登録請求の範囲における「画像表示装置」の一例に対応している。）と、検温装置１１のＨＤＭＩ出力端子（実用新案登録請求の範囲における「送信部」の一例に対応している。図示していない。）とディスプレイ２１のＨＤＭＩ入力端子（実用新案登録請求の範囲における「受信部」の一例に対応している。図示していない。）とを介して両者を接続するためのＨＤＭＩケーブル３１と、一対の機器からなり、一方はディスプレイ２１の近傍に設置され、他方は検温装置１１の近傍に設置される、双方向の音声通信を可能とするワイヤレスインターホン４１（実用新案登録請求の範囲における「通話装置」の一例に対応している。）とで構成される。なお、被検者がドアを介して会場に入場する場合には、被検者側において、ドアに電子錠（実用新案登録請求の範囲における「ロック機器」の一例に対応している。図示していない。）が設けられ、検査者側において、電子錠を開錠又は施錠するための制御スイッチ（図示していない。）が設けられるよう構成されていてもよい。また、ワイヤレスインターホン４１については、ワイヤレスとしているが、有線であってもよい。
【００２７】
また、第二実施形態では、図２に示すように、第一実施形態において、ＨＤＭＩケーブル３１が、ＨＤＭＩケーブル３１ａ、３１ｂと、一対の機器からなり、一方はディスプレイ２１の近傍に設置され、他方は検温装置１１の近傍に設置される、ＨＤＭＩケーブルで送受信可能とする形式に変換された画像データを無線で送受信可能とする無線対応エクステンダー３２とに置き換わった態様で構成される。
【００２８】
さらにまた、第三実施形態では、図３に示すように、第一実施形態において、ＨＤＭＩケーブル３１が、ＨＤＭＩケーブル３１ａ、３１ｂと、一対の機器からなり、一方はディスプレイ２１の近傍に設置され、他方は検温装置１１の近傍に設置される、ＨＤＭＩケーブルで送受信可能とする形式に変換された画像データを有線で送受信可能とする有線対応エクステンダー３３と、一対の有線対応エクステンダー３３間を接続するためのＬＡＮケーブル３４とに置き換わった態様で構成される。
（検温装置１１の構成）
【００２９】
第一実施形態〜第三実施形態に係る検温装置１１のブロック図を図４に示す。この図に示す検温装置１１は、被検者から放射される赤外線を検出する赤外線検出部１２と、赤外線検出部１２の検出値に基づいて被検者の体温を算出する体温算出部１５と、体温算出部１５にて特定された被検者の体温と正常体温又は異常体温に関する閾値とに基づいて、被検者が正常体温又は異常体温であるかを判定する体温判定部１６と、被検者を撮像する撮像部１３と、撮像部１３によって取得された画像から、被検者がマスクを装着しているかを判定するマスク判定部１７と、撮像部１３によって取得された画像を表示するとともに、体温判定部１６又は／及びマスク判定部１７による判定結果を反映した、被検者に対する入場許可又は立入禁止を意味する画像を合わせて表示する表示部１４と、表示部１４に表示される画像の画像データをディスプレイ２１に送信する送信部１８とを備えている。
【００３０】
検温装置１１は、ＨＤＭＩ出力端子を備えており、ＨＤＭＩケーブル３１又はＨＤＭＩケーブル３１ａを接続して使用する。
（赤外線検出部１２）
【００３１】
赤外線検出部１２は、赤外線（赤外放射）の強度を検出する部材である。赤外線検出部１２は、例えば、単素子の赤外線センサとその赤外線センサに赤外光を集束させる光学系とを有して構成される。単素子の赤外線センサからなる場合には、装置コストを低減できるという利点がある。あるいは、複数素子からなる赤外線イメージセンサとその赤外線イメージセンサに赤外光を結像させる光学系とを有する構成も好ましい。なお、赤外線検出部１２の感度域は、体温測定に適した遠赤外線の波長域に設定されることが好ましい。
（撮像部１３）
【００３２】
撮像部１３は、被検者が含まれる画像を撮像する部材であり、例えば、２次元の撮像素子とその撮像素子に画像を結像させる光学系とを有して構成される。撮像部１３で得る画像はカラーでもモノクロでもよい。
（表示部１４）
【００３３】
表示部１４は、画像を表示する機能と感圧式の入力機能とを兼ね備えたタッチパネルを有して構成される。表示部１４は、撮像部１３にて撮像された画像や、体温判定部１６の判定結果に応じて画像処理部にて記憶部に保存された画像と合成処理等された画像を表示する。
（体温算出部１５）
【００３４】
体温算出部１５は、赤外線検出部１２の検出値に基づいて被検者の体温を算出するための部材である。体温算出部１５は、測定対象決定部（図示していない。）を有しており、測定対象決定部が、撮像部１３からの取得した画像から例えば被検者の顔の額部分を画像認識によって測定対象と認識する。赤外線検出部１２及び撮像部１３の光軸を一致させておくことにより、画像の中心と赤外線検出部１２の測定視野の中心とが常に一致することになる。よって、画像の中心と測定対象との相対位置関係に基づいて測定視野と測定対象とを正確に位置合わせすることができる。体温算出部１５は、赤外線検出部１２にて取得した測定視野における検出値に基づいて被検者の体温を算出する。
（体温判定部１６）
【００３５】
体温判定部１６は、被検者が正常体温又は異常体温であるかを判定するための部材である。体温判定部１６は、記憶部に正常体温又は異常体温に関する閾値が保存されており、体温算出部１５にて特定された被検者の体温が、その閾値より以上であれば異常体温と判定し、その閾値未満であれば正常体温と判定する。
（マスク判定部１７）
【００３６】
マスク判定部１７は、撮像部１３によって取得された画像から、被検者がマスクを装着しているかを判定するための部材である。マスク判定部１７は、測定対象決定部にて画像認識によって測定対象を認識するのと同様に、画像認識によってマスクの有無について判定する。マスク判定部１７にて被検者がマスクを装着していないと判定された場合、画像処理部にて、被検者にマスクの装着を促す表示の画像及び立入禁止を表示する画像が撮像部１３によって取得された画像と合成される。
（送信部１８）
【００３７】
送信部１８は、画像処理部にて表示部１４に表示可能に生成された画像データをディスプレイ２１に対して出力するための部材である。具体的には、ＨＤＭＩケーブルで伝送可能な形式の画像データを出力するための回路基板とＨＤＭＩ出力端子とから構成される。なお、検温装置１１が無線対応エクステンダー３２の出力側の機器の機能を内蔵するよう構成する場合には、送信部１８が、無線対応エクステンダー３２の出力側の機器の機能を奏する部材を構成に備えることになる。
（ディスプレイ２１の構成）
【００３８】
ディスプレイ２１は、市販されているＰＣ用のディスプレイであって、表示部２２を備える。ディスプレイ２１は、検温装置１１の表示部１４が縦長であるため、表示部１４に表示された画像と同期された画像が表示部２２に表示されることを考慮すると、ピボット対応であるか、縦長のものを採用するのが好ましい。ディスプレイ２１は、ＨＤＭＩ入力端子を備えており、ＨＤＭＩケーブル３１又はＨＤＭＩケーブル３１ｂを接続して使用する。なお、検温装置１１とディスプレイ２１との間に録画機器を介在させることで、遠隔地において、被検者を録画することもできる。
（ＨＤＭＩケーブル３１）
【００３９】
ＨＤＭＩケーブル３１は、検温装置１１とディスプレイ２１とを有線接続し、送信部１８から出力される画像データを伝送するための部材である。
（無線対応エクステンダー３２）
【００４０】
無線対応エクステンダー３２は、検温装置１１とディスプレイ２１とを無線接続し、送信部１８から出力される画像データを伝送するための部材である。無線対応エクステンダー３２は、一対の機器からなり、被検者側では、ＨＤＭＩケーブル３１ａを介して検温装置１１と有線接続され、検査者側では、ＨＤＭＩケーブル３１ｂを介してディスプレイ２１と有線接続される。無線対応エクステンダー３２には、３００ｍ程度伝送可能なものもあるため、検査者は、遠隔地から、被検者の検温状況を確認することができる。
【００４１】
また、無線対応エクステンダー３２が無線ＬＡＮの規格を採用している場合、その規格に対応したスマートフォンやタブレット、テレビ等であれば、アプリによる対応により、検査者は、無線対応エクステンダー３２の入力側の機器を接続しなくても、スマートフォンやタブレット、テレビ等自体で被検者の検温状況を確認することができる。
【００４２】
さらにまた、検温装置１１が、無線対応エクステンダー３２の出力側の機器の機能を内蔵するよう構成されてもよい。無線対応エクステンダー３２の出力側の機器の機能の例としては、ＭＩＲＡＣＡＳＴ（ワイ−ファイ  アライアンスの登録商標）やＧＯＯＧＬＥ  ＣＡＳＴ（Ｇｏｏｇｌｅ  ＬＬＣの登録商標）が挙げられる。
（有線対応エクステンダー３３）
【００４３】
有線対応エクステンダー３３は、検温装置１１とディスプレイ２１とを有線ＬＡＮ接続し、送信部１８から出力される画像データを伝送するための部材である。有線対応エクステンダー３３は、一対の機器からなり、被検者側では、ＨＤＭＩケーブル３１ａを介して検温装置１１と有線接続され、検査者側では、ＨＤＭＩケーブル３１ｂを介してディスプレイ２１と有線接続される。ＬＡＮケーブルは、ＨＤＭＩケーブルに比べて低廉であり、既存の設備を利用できる点でも優れている。
【００４４】
以上説明したように、検温装置１１及び検温システム１によれば、従来の技術では、検査者と被検者とがその場で入場許可又は立入禁止の判定結果を確認するか、被検者が判定結果を確認できないまま遠隔から指示を受けていたところ、被検者は、自分自身で体温や判定結果を確認できるとともに、検査者は、遠隔から、被検者の体温や判定結果を確認したり、被検者に対して指示したりすることができる。また、検温装置１１の背面側にディスプレイ２１を設置することで、検査者は、被検者と少し離れた位置で向かい合った状態で入場管理を行うことができる。
【産業上の利用可能性】
【００４５】
本実施形態に係る検温装置１１及び検温システム１は、被検者は検温場所にて自分自身の、検査者は遠隔地にて被検者の、体温や入場許可又は立入禁止の判定結果、マスクの着用状況を確認する用途に好適に利用できる。
【符号の説明】
【００４６】
１…検温システム
１１…検温装置
１２…赤外線検出部
１３…撮像部
１４…表示部
１５…体温算出部
１６…体温判定部
１７…マスク判定部
１８…送信部
２１…ディスプレイ
２２…表示部
３１…ＨＤＭＩケーブル；３１ａ…ＨＤＭＩケーブル；３１ｂ…ＨＤＭＩケーブル
３２…無線対応エクステンダー
３３…有線対応エクステンダー
３４…ＬＡＮケーブル
４１…ワイヤレスインターホン
【図１】
0003229711.tif 000003
【図２】
0003229711.tif 000004
【図３】
0003229711.tif 000005
【図４】
0003229711.tif 000006